(57)【要約】【課題】利用者写真と共に広告を送付するサービスにおいて広告効率を向上すること。【解決手段】データ格納装置３において画像データの格納アドレスを示す情報（二次元バーコード）を台紙に印刷するようにした。そのため、台紙に印刷されている情報を参照することで、写真用紙に印刷されている画像データの格納場所を知ることができる。それゆえ、サービス利用者から送信された画像データを印刷した写真用紙（利用者写真）を広告付きの台紙に収容してサービス利用者に送付しても、画像データの紛失に備えて、送付されてくる台紙をサービス利用者がそのままバインダに綴じ込む可能性が高くなり、広告を繰り返し見る可能性が高くなることで、広告効率を向上することができる。【選択図】図１
2009003695.tif 000002
【特許請求の範囲】
【請求項１】
アルバム作成の支援サービスに用いられるシステムであって、
サービス利用者の端末装置から送信されてくる画像データを格納する画像データ格納装置と、前記画像データを写真用紙に印刷する写真用紙印刷装置と、前記写真用紙を収容する台紙および広告用の写真用紙の少なくともいずれかに、前記画像データ格納装置において前記画像データが格納されている場所に関する情報を印刷する情報印刷装置と、を備えたことを特徴とするアルバム作成支援システム。
【請求項２】
前記情報印刷装置は、前記画像データが格納されている場所に関する情報として、当該情報を２次元バーコードで示したものを印刷することを特徴とする請求項１に記載のアルバム作成支援システム。
【請求項３】
アルバム作成の支援サービスに用いられるシステムであって、
サービス利用者の端末装置から送信されてくる画像データを写真用紙に印刷する写真用紙印刷装置と、前記サービス利用者の好みの画像に関する情報を収集する好み情報収集手段と、前記好み情報収集手段で収集された情報に基づいて、前記写真用紙を収容する台紙または広告用の写真用紙の少なくともいずれかに、前記サービス利用者の好みの画像が用いられている広告を印刷する広告印刷装置と、を備えたことを特徴とするアルバム作成支援システム。
【発明の詳細な説明】
【技術分野】
【０００１】
本発明は、アルバム作成の支援サービスに用いられるアルバム作成支援システムに関する。
【背景技術】
【０００２】
従来、例えば、サービス利用者の携帯電話機からサービス提供者のサーバに送信されてくる画像データを写真用紙に印刷し、印刷した写真用紙（利用者写真）と共に広告写真をサービス提供者が広告付きの台紙に収容してサービス利用者に送付することで、送付されてくる台紙をそのままバインダに綴じ込むだけでサービス利用者がアルバムを作成できるようにし、また、広告写真および台紙に付されている広告によって各種商品をサービス利用者に宣伝できるようにしたものがある（例えば、非特許文献１参照）。
【非特許文献１】http://mediapix.co.jp/
【発明の開示】
【発明が解決しようとする課題】
【０００３】
しかしながら、このような広告付きの台紙に利用者写真を収容して送付するものにあっては、送付されてくる台紙から利用者写真が取り外され、広告写真および台紙がサービス利用者によってすぐに捨てられることで、広告効率が低下する可能性がある。
本発明は、上記従来の技術に鑑みてなされたものであって、広告効率を向上可能なアルバム作成支援システムを提供することを課題とする。
【課題を解決するための手段】
【０００４】
上記課題を解決するために、本発明に係るアルバム作成支援システムは、アルバム作成の支援サービスに用いられるシステムであって、サービス利用者の端末装置から送信されてくる画像データを格納する画像データ格納装置と、前記画像データを写真用紙に印刷する写真用紙印刷装置と、前記写真用紙を収容する台紙および広告用の写真用紙の少なくともいずれかに、前記画像データ格納装置において前記画像データが格納されている場所に関する情報を印刷する情報印刷装置と、を備えたことを特徴とする。
【０００５】
このような構成によれば、台紙に印刷されている情報または広告用の写真用紙に印刷されている情報を参照することで、写真用紙に印刷されている画像データの格納場所を知ることができる。そのため、サービス利用者から送信された画像データを印刷した写真用紙を広告が印刷された写真用紙（広告写真）と共に広告付きの台紙に収容してサービス利用者に送付しても、画像データの紛失に備えて、送付されてくる台紙または広告写真をサービス利用者がそのままバインダに綴じ込む可能性が高くなり、広告を繰り返し見る可能性が高くなることで、広告効率を向上することができる。
【０００６】
また、前記情報印刷装置は、前記画像データが格納されている場所に関する情報として、当該情報を２次元バーコードで示したものを印刷してもよい。
このような構成によれば、写真の撮影機能と撮影した写真に含まれている２次元バーコードの解析機能とを有する携帯電話機を用い、台紙または広告用の写真用紙に印刷されている２次元バーコードを撮影・解析することで、写真用紙に印刷されている画像データが格納されている場所に容易にアクセスすることができる。
【０００７】
また、本発明に係るアルバム作成支援システムは、アルバム作成の支援サービスに用いられるシステムであって、サービス利用者の端末装置から送信されてくる画像データを写真用紙に印刷する写真用紙印刷装置と、前記サービス利用者の好みの画像に関する情報を収集する好み情報収集手段と、前記好み情報収集手段で収集された情報に基づいて、前記写真用紙を収容する台紙または広告用の写真用紙の少なくともいずれかに、前記サービス利用者の好みの画像が用いられている広告を印刷する広告印刷装置と、を備えたことを特徴とする。
【０００８】
このような構成によれば、サービス利用者の好みの画像が用いられている広告を台紙または広告用の写真用紙に印刷することができる。そのため、サービス利用者から送信された画像データを印刷した写真用紙（利用者写真）を広告が印刷された写真用紙（広告写真）と共に広告付きの台紙に収容してサービス利用者に送付しても、利用者写真と好みの画像とが並んだ構成となるので、送付されてくる台紙または広告写真をサービス利用者がそのままバインダに綴じ込む可能性が高くなり、広告を繰り返し見る可能性が高くなることで、広告効率を向上することができる。
【発明を実施するための最良の形態】
【０００９】
以下、本発明を、アルバム作成の支援サービスに用いた実施形態を図面に基づいて説明する。
＜構成＞
まず、本実施形態のアルバム作成支援システムの構成を説明する。
図１は、サービス利用者の携帯電話機５から送信されてくる画像データを印刷し、印刷結果を広告付きの台紙に収容してサービス利用者に送付するサービスに用いられるアルバム作成支援システム１の全体構成を示す構成図である。
ここで、携帯電話機５は、電子メールの送信機能、電子メールに記載されたＵＲＬ・手作業で入力されたＵＲＬへのアクセス機能、写真の撮影機能および撮影した写真に含まれる二次元バーコードの解析機能を有するものとする。
【００１０】
アルバム作成支援システム１は、図１に示すように、サーバ２、データ格納装置３およびプリンタ４を備える。
サーバ２は、サービス提供者の施設内に設置され、インターネット回線および電話回線を介して、サービス利用者の携帯電話機５と互いに通信可能に構成されている。
また、サーバ２は、サービス利用者の携帯電話機５から画像データが添付された電子メールが送信されてくると、添付されている画像データを送信元のサービス利用者と対応づけてデータ格納装置３に格納させ、画像データを受け取った旨を知らせるメッセージおよび企業広告を記載したメールを携帯電話機５に返信する。
【００１１】
企業広告としては、各種企業に関する商品の商品名、キャッチコピーおよび個別のＵＲＬ（サーバ２内のアンケートページのＵＲＬ）の組を複数記載する。
さらに、サーバ２は、個別のＵＲＬに携帯電話機５からアクセスがあったか否かを判定し、アクセスがあった場合には、アンケートページを携帯電話機５に表示させる。そして、サービス利用者にアンケートを答えさせることで、どのサービス利用者がそのＵＲＬにアクセスしたか、つまり、どの商品に興味を持ったかを判定する。
【００１２】
さらに、サーバ２は、データ格納装置３内に、格納させてから１週間が経過した画像データがあるか否かを判定する。そして、１週間が経過した画像データがある場合には、その画像データをプリンタ４によって写真用紙に印刷させ、画像データのデータ格納装置３における格納アドレス（インターネットを介してアクセス可能なアドレスのＵＲＬ）を示す二次元バーコードおよび企業広告をプリンタ４によって台紙に印刷させる。
ここで、印刷する企業広告としては、前記アンケートによって、サービス利用者が興味を持ったと判定された商品のキャッチコピーおよび詳細な商品紹介が挙げられる。
【００１３】
また、台紙としては、写真用紙を収納可能であり、専用バインダに綴じ込むことでアルバムを構成できるものが挙げられる。
データ格納装置３は、サーバ２の指令に従って、サービス利用者の携帯電話機５から送信されてくる画像データを送信元のサービス利用者と対応づけて所定領域に格納する。
プリンタ４は、サーバ２の指令に従って、データ格納装置３に格納されている画像データを写真用紙に印刷し、その画像データのデータ格納装置３における格納アドレスを示す二次元バーコードおよび企業広告を台紙に印刷する。
【００１４】
＜動作＞
次に、本実施形態のアルバム作成支援システムの動作を説明する。
まず、サービス利用者が携帯電話機５で写真を撮影して保存し、図１に示すように、保存した写真の画像データを電子メールに添付してサーバ２に送信したとする。すると、サーバ２によって、電子メールに添付されている画像データが送信元のサービス利用者と関連づけてデータ格納装置３に格納され、また、画像データを受け取った旨を知らせるメッセージおよび企業広告のＵＲＬ等を記載したメールが携帯電話機５に返信される。
【００１５】
携帯電話機５に返信されたメールを見たサービス利用者が企業広告に興味を持ち、企業広告のＵＲＬにアクセスしてアンケートに答えたとする。すると、サーバ２によって、どのサービス利用者がどの商品に興味を持ったかが判定される。
また、データ格納装置３に前記画像データが格納されてから１週間が経過したとする。すると、サーバ２の指令により、その画像データがプリンタ４によって写真用紙に印刷され、画像データが格納されているデータ格納装置３内のアドレスを示す二次元バーコード、つまり、画像データが格納されている場所に関する情報、および前記興味を持ったと判定された企業広告がプリンタ４によって台紙に印刷される。
【００１６】
そして、サービス提供者によって、二次元バーコードおよび企業広告が印刷された台紙に写真用紙が収容されてサービス利用者に送付され、サービス利用者によって、送付されてくる台紙がそのままバインダに綴じられてアルバムが作成される。
なお、サービス提供者は、台紙の送付時に、サービス利用者が興味を持った商品のサンプルや商品の引換券、割引券等を台紙と同封して送付するようにしてもよい。
【００１７】
ここで、台紙が送付されてから数日後に、印刷した画像データをサービス利用者が携帯電話機５から誤って消去することによって紛失してしまったとする。このような場合は、画像データが印刷された印刷用用紙が収容されている台紙を携帯電話機５で撮影すれば、携帯電話機５によって、台紙に印刷されている二次元バーコードが解析される。
そして、解析結果として前記画像データの格納アドレスが得られ、サービス利用者が携帯電話機５を操作して当該アドレスにアクセスすることで、前記画像データを携帯電話機５にダウンロードでき、紛失した画像データを再取得することができる。
以上、本実施形態では、図１のサーバ２およびデータ格納装置３が特許請求の範囲に記載の画像データ格納装置を構成し、同様に、図１のサーバ２およびプリンタ４が写真用紙印刷装置および情報印刷装置を構成する。
【００１８】
＜作用・効果＞
（１）このように、本実施形態のアルバム作成支援システムにあっては、データ格納装置３において画像データの格納アドレスを示す情報（二次元バーコード）を台紙に印刷するようにした。そのため、台紙に印刷されている情報を参照することで、写真用紙に印刷されている画像データの格納場所を知ることができる。それゆえ、サービス利用者から送信された画像データを印刷した写真用紙（利用者写真）を広告付きの台紙に収容してサービス利用者に送付しても、画像データの紛失に備えて、送付されてくる台紙をサービス利用者がそのままバインダに綴じ込む可能性が高くなり、広告を繰り返し見る可能性が高くなることで、広告効率を向上することができる。
【００１９】
なお、本実施形態では、利用者写真のみを広告付きの台紙に収容して送付する例を示したが、例えば、利用者写真の印刷時に、データ格納装置３において画像データの格納アドレスを示す情報および企業広告をプリンタ４によって広告用の写真用紙に印刷させ、利用者写真を広告が印刷された写真用紙（広告写真）と共に広告付きの台紙に収容してサービス利用者に送付することで、各種商品をサービス利用者に宣伝するようにしてもよい。
【００２０】
そのようにすれば、広告用の写真用紙に印刷されている情報を参照することで、写真用紙に印刷されている画像データの格納場所を知ることができる。そのため、サービス利用者から送信された画像データを印刷した写真用紙を広告が印刷された写真用紙（広告写真）と共に台紙に収容してサービス利用者に送付しても、画像データの紛失に備えて、送付されてくる広告写真をサービス利用者がそのままバインダに綴じ込む可能性が高くなり、広告を繰り返し見る可能性が高くなることで、広告効率を向上することができる。
また、台紙または広告用の写真用紙に、二次元バーコードおよび企業広告を同時に印刷する例を示したが、例えば、企業広告が予め印刷されている台紙や広告用の写真用紙を用いて、サービス利用者への送付時に二次元バーコードのみを印刷するようにしてもよい。
【００２１】
（２）さらに、画像データが格納されている場所に関する情報として、前記情報を２次元バーコードで示したものを印刷するようにした。そのため、写真の撮影機能と撮影した写真に含まれている２次元バーコードの解析機能とを有する携帯電話機５を用い、台紙または広告用の写真用紙に印刷されている２次元バーコードを撮影・解析することで、写真用紙に印刷されている画像データの格納場所に容易にアクセスすることができる。
【００２２】
（３）また、本実施形態では、サービス利用者が興味を持った企業広告を台紙に印刷する例を示したが、これに限られるものではない。例えば、サービス利用者の好みの画像が用いられている広告を台紙または広告用の写真用紙に印刷するようにしてもよい。
具体的には、サーバ２は、図２に示すように、サービス利用者にシステムへの会員登録を行わせる際に、好きなタレント、好きな風景、趣味等、好みの画像に関する情報（会員好み情報）を登録させて収集する。
そして、サーバ２は、台紙または広告用の写真用紙に印刷する企業広告として、収集しておいた会員好み情報を参照し、サービス利用者の好みのタレント、好みの風景、趣味に関する画像等、つまり、好みの画像が用いられている広告を選択する。
【００２３】
そのようにすれば、サービス利用者の好みの画像が用いられている広告を台紙または広告用の写真用紙に印刷することができる。そのため、サービス利用者から送信された画像データを印刷した写真用紙（利用者写真）を広告が印刷された写真用紙（広告写真）と共に広告付きの台紙に収容してサービス利用者に送付しても、利用者写真と好みの画像とが並んだ構成となるので、送付されてくる台紙または広告写真をサービス利用者がそのままバインダに綴じ込む可能性が高くなり、広告を繰り返し見る可能性が高くなることで、広告効率を向上することができる。
【図面の簡単な説明】
【００２４】
【図１】本実施形態のアルバム作成支援システムの構成を示す構成図である。
【図２】アルバム作成支援システムの変形例を示す図である。
【符号の説明】
【００２５】
１はアルバム作成支援システム、２はサーバ、３はデータ格納装置、４はプリンタ、５は携帯電話機
【図１】
2009003695.tif 000003
【図２】
2009003695.tif 000004